【事件の表示】
　平成　３年特許願第２９６３１１号「液晶ディスプレイパネルの配線構造」拒絶査定に対する審判事件〔平成　５年　４月３０日出願公開、特開平　５−１０７５５１、請求項の数（３）〕について、次のとおり審決する。
【結　論】
　原査定を取り消す。
　本願の発明は、特許すべきものとする。
【理　由】
１．手続きの経緯・本願発明の要旨
　本願は、平成３年１０月１５日の出願であって、その発明の要旨は、平成１２年１０月５日付けの手続補正書により補正された明細書及び図面の記載からみて、その特許請求の範囲の請求項１乃至３に記載された事項により特定されるとおりのものと認められ、そのうち請求項１にかかる発明の要旨は、次の通りである。
「ディスプレイ部を構成する液晶封入用の２枚のガラス基板のうちの少なくとも一方のガラス基板のディスプレイ部以外の周縁部上に、ドライバ用の複数のＩＣチップのパッドに対応して配置されたチップ用電極と、このチップ用電極に接続され、実装されたＩＣチップによって隠れない位置の両側に配置された接続端子とが一直線状となるべく配置されて形成され、前記チップ用電極上にドライバ用の複数のＩＣチップが接続されて一直線状となるべく配置されて実装され、可撓性を有する帯状のベースフィルムに導電性配線パターンと前記接続端子に対応した接続部とが形成されると共に、該接続部以外の配線パターン上に絶縁膜が形成されたフレキシブル基板を、前記一直線状に配置されたすべての複数のＩＣチップ及び接続端子の上に重ねて、接続部及び接続端子を接続することを特徴とする液晶ディスプレイパネルの配線構造。」（以下、「本願発明」という。）
　
２．引用例
　これに対し、原査定の拒絶の理由に引用された、実願平１−８７０３７号（実開平３−２６１８９号）のマイクロフィルム（以下、「引用刊行物１」という。）には、
「液晶表示位置１０にデーター電極１７を駆動するＩＣチップ１１が実装されている。データー電極１７を駆動するＩＣチップ１１への入力電気信号はデーター系、クロック系、コントロール系、電源系からなり液晶表示装置１０上に形成されたバスライン１２から供給する。バスライン１２は入力端子１５でＦＰＣ（Flexible Printed Circuit）１３に依り外部回路１４に接続されている。またスキャン電極１６を駆動するＩＣチップ１１も液晶表示装置１０に実装し、入力端子１５と外部回路１４の間をＦＰＣ１３に依り接続している。データー電極１７、及びスキャン電極１６はＩＴＯ（Indium Tin Oxide）をフォトリングラフ法を用いてパタン化し形成するが、この時同時にバスライン１２もＩＴＯをフォトリソグラフ法を用いてパタン化し形成する。ＩＣチップ１１は、導電性ペーストを用いたフェイスダウン実装、所謂ＣＯＧ（Chip On Glass）実装法を用いて接続する。」（４頁１３行〜５頁１０行）、
「液晶表示装置へのＩＣチップ実装法は導電性ペースト実装法を用いたが、ワイヤーボンディング法、ゴムコネクタ法、フリップチップ法でも可能である。」（６頁１４行〜１７行）と記載され、
第１図には、液晶表示装置１０の周辺部にスキャン電極１６またはデーター電極１７により液晶表示装置と接続され、かつ、バスライン１２により入力端子１５と接続されたＩＣチップ１１が備えられ、入力端子１５はＦＰＣ１３により外部回路１４と接続された液晶表示装置が示されている。
　また、同じく原査定の拒絶の理由に引用された、実願昭６１−１９２６３５号（実開昭６３−９８５８１号）のマイクロフィルム（以下、「引用刊行物２」という。）には、
「第２図は、上記ＣＯＦを使用した液晶表示装置の詳細図であって入力端子を出力端子に対し垂直にかつ各入力端子が平行に配置してある為、信号線５Ｂ〜Ｇに対して平行となり、接続する基板はスルーホールによる上下導通を必要としない片面基板である。信号線５Ｂ〜ＧとＣＯＦの入力端子ａ〜ｈはハンダ付等で接続する。液晶表示素子７と出力端子１とは異方性導電性接着剤等で接続する。第３図は、第２図の概略図であって液晶表示装置を展開した状態を示してあり、完成体にする場合は、基板８とＣＯＦ４を液晶表示素子７の裏側に折り曲げｚとｚ’をハンダ付等で接続する。」と記載され、
第２図には、液晶表示素子７と基板８とが、液晶表示素子駆動用ＬＳＩチップ３を搭載したＣＯＦ４で接続された液晶表示装置が、第３図には、液晶表示素子７と基板８とがＣＯＦ４で接続された液晶表示装置が、それぞれ示されている。
　さらに、同じく原査定の拒絶の理由に引用された、特開昭５８−３５５８５号公報（以下、「引用刊行物３」という。）には、
「図中の１０は上側基板、１１は下側基板、１２はシール剤、１３はハンダ流出防止用のダムである。・・・・・図中の１４は下側基板上の配線であり、透明導電膜でもよいし、また金属配線でもよい。１５は液晶層、１６は駆動用ＩＣチップである。この駆動用ＩＣチップは、ボンディングパッド部分にハンダバンプが形成されたフリップチップであり下側基板上の配線部分にフェイスダウンボンディングして接続する。・・・・・第３図は本発明による液晶パネルの平面図である。図中の１８は下側基板、１９は上側基板である。２０は液晶パネルのシール剤、２１はハンダ流出防止用ダムである。２２は下側基板上の配線である。第３図からも明らかな如く、下側基板上に駆動用ＩＣチップをフェイスダウンボンディングすることによって、下側基板の非常に狭い面積を用いるだけで駆動用ＩＣの実装が可能となるため、液晶表示体装置の小型化が達成出来る。」（２頁右上欄１１行〜右下欄３行）と記載され、
第２図には、液晶表示素子の下側基板上にＩＣチップへ接続される配線を設けた液晶表示体装置が示されている。
　また、原審において、平成１２年３月１６日付けの拒絶理由通知書で通知した特開平２−８８１７号公報（以下、「引用刊行物４」という。）には、
「先ず第３図に示すように、ガラス基板１上に液晶表示電極１２および駆動用集積回路等の実装端子１３としての電極をＩＴＯ透明導電膜を用いて形成した。次に第４図のように、ゲート電極及びゲート母線１４・短絡路１０１をＣｒ薄膜により形成した。」（３頁左上欄６行〜１１行）、
「次に、液晶表示用駆動回路を動作させる集積回路３０４または集積回路に付随するキャパシタ等の回路部品３０５またはジャンパー線（第１６図参照）を実装した。集積回路等が形成された面に同時に形成されている電気信号の入出力パッドに金メッキされたバンプを乗せ基板１に形成された入出力端子部１４に合わせ樹脂で硬化させて集積回路の電気的接続を行った。集積回路に付随する部品またはジャンパー線も類似の方法によって所定の位置に接続された。ジャンパー線を実装すると画面上表示が難しくなるのでジャンパー線がない状態で第１３図に平面図、第１４図にＡ方向の斜め断面図を示す。」（３頁右下欄１１行〜４頁左上欄３行）と記載され、
第１３図には、対向ガラス２０１の周りに実装端子１３と集積回路３０４とが備えられた液晶表示装置が、第１６図には、対向ガラス２０１の周りに実装端子１３と集積回路３０４とが備えられ、実装端子１３にジャンパー線３０８が実装されている液晶表示装置が、それぞれ示されている。
　
３．対比・判断
(1) 請求項１について
　本願発明と各引用刊行物記載の発明とを対比すると、本願発明の構成要件である「可撓性を有する帯状のベースフィルムに導電性配線パターンと前記接続端子に対応した接続部とが形成されると共に、該接続部以外の配線パターン上に絶縁膜が形成されたフレキシブル基板を、前記一直線状に配置されたすべての複数のＩＣチップ及び接続端子の上に重ねて、接続部及び接続端子を接続する」点は、引用刊行物１乃至４に記載も示唆もされておらず、しかも、本願発明は、上記構成により、平成１２年５月２４日付け意見書記載の顕著な作用効果を奏するものである。
　してみると、本願発明は、引用刊行物１乃至４に基づいて当業者が容易に発明できたものではない。
(2) 請求項２、３について
　本願請求項２、３に係る発明は、本願請求項１に係る発明を引用し、さらに限定したものであるから、本願請求項１に係る発明と同様に、引用刊行物１乃至４に基づいて当業者が容易に発明できたものではない。
　
４．むすび
　したがって、本願請求項１乃至３に係る発明は、引用刊行物１乃至４に記載された発明に基づいて当業者が容易に発明をすることができたものとすることはできない。
　また、他に本願を拒絶すべき理由を発見しない。
　よって、結論のとおり審決する。